(57)【要約】      （修正有）【課題】吊り下げた各商品の名称、売値等の表示機能を有するとともに、吊り下げた各商品の整理、整頓機能をも発揮する商品陳列掛止具用カバー体を提供する。【解決手段】商品陳列掛止具１は、陳列用受部材３１への掛け止めフック片部と、この掛け止めフック片部に連設されるとともに、商品５１掛け止めて吊り下げる吊り下げフック片部３とを有し、吊り下げフック片部３を掛け止めフック片部に対して、水平左４５度捻った形態とし、各々商品５１を水平方向に４５度左旋回した状態で吊り下げる。商品陳列掛止具用カバー体１は、複数の商品陳列掛止具１を、陳列用受部材３１に対して列設状態に掛け止めた状態で、掛け止めフック片部を覆うように構成する。各商品陳列掛止具の掛け止めフック片部を覆う状態で陳列用受部材３１に掛け止め可能な下方が開口したカバー体本体の前方側に溝部を設け、この中に商品名や売値等を記した表示体１７を挿入する。【選択図】図１０
0003174250.tif 000002
【実用新案登録請求の範囲】
【請求項１】
陳列用受部材への掛け止めフック片部と、この掛け止めフック片部に連設されるとともに、商品の一部を掛け止めて吊り下げた吊り下げフック片部と、を有する複数の商品陳列掛止具を、前記陳列用受部材に対して列設状態に掛け止めた状態で、前記各掛け止めフック片部を覆うように構成した商品陳列掛止具用カバー体であって、
前記各商品陳列掛止具の各掛け止めフック片部を覆う状態で前記陳列用受部材に掛け止め可能な下方が開口した長溝部を長さ方向に設けたカバー体本体と、
このカバー体本体の表面側に設けた前記各商品の名称、売値等を表示する表示体を前方から視認し得るように保持する商札保持部と、
を有することを特徴とする商品陳列掛止具用カバー体。
【請求項２】
陳列用受部材への掛け止めフック片部と、この掛け止めフック片部に連設されるとともに、商品の一部を掛け止めて吊り下げた吊り下げフック片部と、を有し、前記吊り下げフック片部を前記掛け止めフック片部に対して、商品表面視認を妨げない範囲で所定角度捻った形態とし、吊り下げた商品が所定角度左旋回した状態になる構成とした複数の商品陳列掛止具を、前記陳列用受部材に対して列設状態に掛け止めた状態で、前記掛け止めフック片部を覆うように構成した商品陳列掛止具用カバー体であって、
前記各商品陳列掛止具の掛け止めフック片部を覆う状態で前記陳列用受部材に掛け止め可能な下方が開口した長溝部を長さ方向に設けたカバー体本体と、
このカバー体本体の表面側に設けた前記各商品の名称、売値等を表示する表示体を前方から視認し得るように保持する商札保持部と、
を有することを特徴とする商品陳列掛止具用カバー体。
【請求項３】
水平配置の四角棒状の陳列用受部材への掛け止めフック片部と、この掛け止めフック片部に連設されるとともに、商品の一部を掛け止めて吊り下げる吊り下げフック片部と、を有し、前記吊り下げフック片部を前記掛け止めフック片部に対して、水平左４５度又は略左４５度捻った形態とし、各々商品を水平方向に４５度又は略４５度左旋回した状態で吊り下げた複数の商品陳列掛止具を、前記陳列用受部材に対して列設状態に掛け止めた状態で、前記掛け止めフック片部を覆うように構成した商品陳列掛止具用カバー体であって、
上片、後片及び前片により下方が開口した直方体状空間を形成する長溝部を長さ方向に設け、前記各商品陳列掛止具の掛け止めフック片部を覆う状態で前記四角棒状の陳列用受部材に掛け止め可能とした透明材からなるカバー体本体と、
このカバー体本体と一体で、かつ、前記前片下端から折り返し状態に立ち上げて前記前片の前側を占めるように設けられ、前記各商品の名称、売値等を表示する表示体を前方から視認し得るように保持する保持隙間部を形成した商札保持部と、
を有することを特徴とする商品陳列掛止具用カバー体。
【請求項４】
水平配置の四角棒状の陳列用受部材への掛け止めフック片部と、この掛け止めフック片部に連設されるとともに、商品の一部を掛け止めて吊り下げる吊り下げフック片部と、を有し、前記吊り下げフック片部を前記掛け止めフック片部に対して、水平左４５度又は略左４５度捻った形態とし、各々商品を水平方向に４５度又は略４５度左旋回した状態で吊り下げた複数の商品陳列掛止具を、前記陳列用受部材に対して列設状態に掛け止めた状態で、前記掛け止めフック片部を覆うように構成した商品陳列掛止具用カバー体であって、
上片、後片及び前片により下方が開口した直方体状空間を形成する長溝部を長さ方向に設け、前記各商品陳列掛止具の掛け止めフック片部を覆う状態で前記四角棒状の陳列用受部材に掛け止め可能とした透明材からなるカバー体本体と、
前記カバー体本体における上片の前記陳列用受部材と対向する内面に設けたこの内面を前記陳列用受部材の上面と離隔させるスペーサ部材と、
前記カバー体本体と一体で、かつ、前記前片下端から折り返し状態に立ち上げて前記前片の前側を占めるように設けられ、前記各商品の名称、売値等を表示する表示体を前方から視認し得るように保持する保持隙間部を形成した商札保持部と、
を有することを特徴とする商品陳列掛止具用カバー体。
【請求項５】
水平配置の四角棒状の陳列用受部材への掛け止めフック片部と、この掛け止めフック片部に連設されるとともに、商品の一部を掛け止めて吊り下げる吊り下げフック片部と、を有し、前記吊り下げフック片部を前記掛け止めフック片部に対して、水平左４５度又は略左４５度捻った形態とし、各々商品を水平方向に４５度又は略４５度左旋回した状態で吊り下げた複数の商品陳列掛止具を、前記陳列用受部材に対して列設状態に掛け止めた状態で、前記掛け止めフック片部を覆うように構成した商品陳列掛止具用カバー体であって、
上片、後片及び前片により下方が開口した直方体状空間を形成する長溝部を長さ方向に設け、前記各商品陳列掛止具の掛け止めフック片部を覆う状態で前記四角棒状の陳列用受部材に掛け止め可能とした透明材からなるカバー体本体と、
前記カバー体本体における上片の前記陳列用受部材と対向する内面に添着され、前記陳列用受部材に掛け止めた各掛け止めフック片部に磁気吸着力を作用する磁石体と、
前記カバー体本体と一体で、かつ、前記前片下端から折り返し状態に立ち上げて前記前片の前側を占めるように設けられ、前記各商品の名称、売値等を表示する表示体を前方から視認し得るように保持する保持隙間部を形成した商札保持部と、
を有することを特徴とする商品陳列掛止具用カバー体。
【請求項６】
前記カバー体本体は、当該カバー体本体の前記後片の高さに対して、前記前片の高さ幅を僅かに高く形成したとともに、前記各商品の名称、売値（価格）等を表示する表示体の高さ幅の上端が、カバー体本体の上片よりも僅かに表出するように形成し、当該表示体を差し替え等する際に、表示体の上端を指で簡単に摘んで表示体を取り出すことができ、表示体の差し替え等を簡易に行うことができるように構成したことを特徴とする請求項１〜５のいずれかに記載の商品陳列掛止具用カバー体。
【考案の詳細な説明】
【技術分野】
【０００１】
本考案は、吊り下げた各商品の名称、売値等の表示機能を有するとともに、吊り下げた各商品の整理、整頓機能をも発揮する商品陳列掛止具用カバー体に関するものである。
【背景技術】
【０００２】
各種小物商品を、陳列什器の横バー状に形成した陳列用受部材に横並びで陳列する場合、従来においては、鉄製の棒状材等により例えばＳ状に形成した簡略構成の商品陳列用フック（Ｓカン）が多用されている。
【０００３】
従来におけるこの種の商品陳列用フック１０１について、図１７、図１８を参照して説明する。
【０００４】
従来の商品陳列用フック１０１は、図１７に示すように、ステンレスの棒状材を用いて、陳列什器を構成する丸棒状の陳列用受部材１００に掛け止める丸形の掛け止めフック片部１０２と、例えばパッケージ構造で、内部に各種小物類を収納した商品１１１を吊り下げる丸形の吊り下げフック片部１０３とを一体連設して全体をＳ状に形成している。
【０００５】
そして、図１８に示すように、商品１１１の上部に設けた円形の吊り下げ穴１１２を吊り下げフック片部１０３に嵌め入れて、前記商品１１１を吊り下げ状態で陳列するように構成している。
【０００６】
このような従来の商品陳列用フック１０１の場合、顧客が商品１１１に触れたような場合、陳列した商品１１１が真正面を向いたり、水平左方向に旋回したり、水平右方向に旋回したりする事態が多く生じ、前記商品１１１の陳列時においてその方向性が不揃いとなり、当該陳列什器において多数の商品１１１の陳列方向の統一化を図れなくなり、顧客による当該商品１１１の視認性が悪化して販売促進を図る上で好ましくない。
【０００７】
このため、各種小物類用の商品陳列用フックを使用する陳列什器においては、陳列時における多数の商品の整理、整頓を図れることが要請されるところである。
【０００８】
一方、この種の陳列什器においては、多数の商品の名称や価格を的確に顧客に認識させることも不可欠となる。
【０００９】
特許文献１には、本考案に関連する技術として、商品吊り下げ用の下段バーと、表示用の上段バーとを備えた十手型フックにおける前記上段バーに着脱自在に取付けられる合成樹脂製の継手と、多数枚のプライスカードを人が視認できるように装着できる長尺状の合成樹脂製カードホルダーとを備えたフック式陳列什器用のプライスカード表示装置が開示されている。
【００１０】
特許文献１に開示された技術は、商品吊り下げ用の下段バーと、価格等の表示を行うプライスカード表示装置とを個別に構成したものであり、吊り下げた各商品の名称、売値等の表示機能を有するとともに、吊り下げた各商品の整理、整頓機能をも併せて有するものではない。
【先行技術文献】
【特許文献】
【００１１】
【特許文献１】登録実用新案第３１０６９２５号公報
【考案の概要】
【考案が解決しようとする課題】
【００１２】
本考案が解決しようとする問題点は、吊り下げた各商品の名称、売値等の表示機能を有するとともに、吊り下げた各商品の整理、整頓機能をも発揮するような用具が存在しない点である。
【課題を解決するための手段】
【００１３】
本考案の商品陳列掛止具用カバー体は、陳列用受部材への掛け止めフック片部と、この掛け止めフック片部に連設されるとともに、商品の一部を掛け止めて吊り下げた吊り下げフック片部と、を有する複数の商品陳列掛止具を、前記陳列用受部材に対して列設状態に掛け止めた状態で、前記各掛け止めフック片部を覆うように構成した商品陳列掛止具用カバー体であって、前記各商品陳列掛止具の各掛け止めフック片部を覆う状態で前記陳列用受部材に掛け止め可能な下方が開口した長溝部を長さ方向に設けたカバー体本体と、このカバー体本体の表面側に設けた前記各商品の名称、売値等を表示する表示体を前方から視認し得るように保持する商札保持部と、を有することを最も主要な特徴とする。
【考案の効果】
【００１４】
請求項１記載の考案によれば、多数の商品陳列掛止具により列設状態で吊り下げた各商品の名称、売値等の表示機能を発揮するとともに、吊り下げた各商品の整理、整頓機能をも発揮させることができる商品陳列掛止具用カバー体を実現し提供することができる。
【００１５】
請求項２記載の考案によれば、多数の商品陳列掛止具により列設状態で、かつ、所定角度左旋回した状態で吊り下げた各商品の名称、売値等の表示機能を発揮するとともに、吊り下げた各商品の整理、整頓機能をも発揮させることができる商品陳列掛止具用カバー体を実現し提供することができる。
【００１６】
請求項３記載の考案によれば、多数の商品陳列掛止具により列設状態で、かつ、水平方向に４５度又は略４５度左旋回した状態で吊り下げた各商品の名称、売値等の表示機能を発揮するとともに、吊り下げた各商品の整理、整頓機能をも発揮させることができる商品陳列掛止具用カバー体を実現し提供することができる。
【００１７】
請求項４記載の考案によれば、多数の商品陳列掛止具により列設状態で、かつ、水平方向に４５度又は略４５度左旋回した状態で吊り下げた各商品の名称、売値等の表示機能を発揮するとともに、吊り下げた各商品の位置調整がし易く、整理、整頓機能をも発揮させることができる商品陳列掛止具用カバー体を実現し提供することができる。
【００１８】
請求項５記載の考案によれば、多数の商品陳列掛止具により列設状態で、かつ、水平方向に４５度又は略４５度左旋回した状態で吊り下げた各商品の名称、売値等の表示機能を発揮するとともに、一旦吊り下げた各商品の位置を維持し易く、整理、整頓機能をも発揮させることができる商品陳列掛止具用カバー体を実現し提供することができる。
請求項６記載の考案によれば、請求項１〜５に記載の夫々の効果に加え、前記カバー体本体の前記後片の高さに対して、前記前片の高さ幅を僅かに高く形成したとともに、前記各商品の名称、売値（価格）等を表示する表示体の高さ幅の上端が、カバー体本体の上片よりも僅かに表出するように形成して構成しているので、表示体を差し替え等する際に、表示体の上端を指で簡単に摘んで表示体を取り出すことができ、表示体の差し替え等を簡易に行うことができる商品陳列掛止具用カバー体を実現し提供することができる。
【図面の簡単な説明】
【００１９】
【図１】図１は本考案の実施例１に係る商品陳列掛止具用カバー体の概略斜視図である。
【図２】図２は本実施例１に係る商品陳列掛止具用カバー体の概略側面図である。
【図３】図３は本実施例１に係る商品陳列掛止具用カバー体のカバー体本体及び保持隙間部を示す側面図である。
【図４】図４は本実施例１に係る商品陳列掛止具用カバー体の表示体を挿入する状態を示す説明図である。
【図５】図５は本実施例１において使用する商品陳列掛止具の概略斜視図である。
【図６】図６は本実施例１において使用する商品陳列掛止具の概略平面図である。
【図７】図７は本実施例１において使用する商品陳列掛止具の陳列用受部材への掛け止め状態を示す概略側面図である。
【図８】図８は本実施例１において使用する商品陳列掛止具による商品の吊り下げ状態を示す概略斜視図である。
【図９】図９は本実施例１において多数の商品陳列掛止具により多数の商品の吊り下げた状態を示す概略斜視図である。
【図１０】図１０は図９に示す各商品陳列掛止具の各掛け止めフック片部を覆うようにして商品陳列掛止具用カバー体を陳列用受部材に装着した状態を示す概略斜視図である。
【図１１】図１１は図１０に示す態様における商品陳列掛止具用カバー体、各掛け止めフック片部及び陳列用受部材の状態を示す説明図である。
【図１２】図１２は本考案の実施例２に係る商品陳列掛止具用カバー体を陳列用受部材に装着した状態の概略縦断面図である。
【図１３】図１３は本実施例２に係る商品陳列掛止具用カバー体の概略側面図である。
【図１４】図１４は本考案の実施例３に係る商品陳列掛止具用カバー体を陳列用受部材に装着した状態の概略縦断面図である。
【図１５】図１５は本実施例３に係る商品陳列掛止具用カバー体の長さ方向と直交する方向の概略断面図である。
【図１６】図１６は本実施例に係る商品陳列掛止具用カバー体の変形例を示す商品陳列掛止具用カバー体の概略側面図である。
【図１７】図１７は従来の商品陳列用フックの概略斜視図である。
【図１８】図１８は従来の商品陳列用フックによる複数の商品の吊り下げ状態を示す概略斜視図である。
【考案を実施するための形態】
【００２０】
本考案は、吊り下げた各商品の名称、売値等の表示機能を有するとともに、吊り下げた各商品の整理、整頓機能をも発揮する商品陳列掛止具用カバー体を提供するという目的を、水平配置の四角棒状の陳列用受部材への掛け止めフック片部と、この掛け止めフック片部に連設されるとともに、商品の一部を掛け止めて吊り下げる吊り下げフック片部と、を有し、前記吊り下げフック片部を前記掛け止めフック片部に対して、水平左４５度又は略左４５度捻った形態とし、各々商品を水平方向に４５度又は略４５度左旋回した状態で吊り下げた複数の商品陳列掛止具を、前記陳列用受部材に対して列設状態に掛け止めた状態で、前記掛け止めフック片部を覆うように構成した商品陳列掛止具用カバー体であって、上片、後片及び前片により下方が開口した直方体状空間を形成する長溝部を長さ方向に設け、前記各商品陳列掛止具の掛け止めフック片部を覆う状態で前記四角棒状の陳列用受部材に掛け止め可能とした透明材からなるカバー体本体と、このカバー体本体と一体で、かつ、前記前片下端から折り返し状態に立ち上げて前記前片の前側を占めるように設けられ、前記各商品の名称、売値等を表示する表示体を前方から視認し得るように保持する保持隙間部を形成した商札保持部と、を有する構成により実現した。
【実施例】
【００２１】
以下、本考案の実施例に係る商品陳列掛止具用カバー体について詳細に説明する。
【００２２】
（実施例１）
図１乃至図１１を参照して本考案の実施例１に係る商品陳列掛止具用カバー体１１について説明する。
【００２３】
本実施例１に係る商品陳列掛止具用カバー体１１は、水平配置の四角棒状の陳列用受部材３１に対して、図８、図９に示すように、各々商品５１を吊り下げた複数の商品陳列掛止具１を列設状態に掛け止めた状態とした後、図１０に示すように前記掛け止めフック片部２を覆うように装着する構成としている。
【００２４】
前記商品５１としては、例えば透明袋を用いたパッケージ構造で、内部に例えばキャラクターグッズ等を収納したものを一例として挙げることができる。
【００２５】
本実施例１における商品５１としては、同一種類のもの、異種類のものの組み合わせ等、特に限定するものではない。
【００２６】
前記商品陳列掛止具用カバー体１１は、図１乃至図４に示すように、上片１２ａ、後片１２ｂ及び前片１２ｃにより下方が開口した直方体状空間１４を形成する長溝部１３を長さ方向に設け、前記各商品陳列掛止具１の掛け止めフック片部２を覆う状態で前記四角棒状の陳列用受部材３１に掛け止め可能とした例えば透明アクリル樹脂材等のような透明材からなるカバー体本体１５と、このカバー体本体１５と一体で、かつ、前記前片１２ｃ下端から折り返し状態に立ち上げて前記前片１２ｃの前側を占めるように設けられ、前記各商品５１の名称、売値（価格）等を表示する表示体１７を前方から視認し得るように挿入した状態で保持する保持隙間部１６を形成した商札保持部１２ｄと、を有している。
【００２７】
なお、本実施例１では、図１、図４に示すように、前記表示体１７に表示する情報として商品５１の名称を丸印で、売値を×印で表している。
【００２８】
この表示体１７に表示する情報としては、この他、宣伝文、キャッチコピー等々を掲載することも可能であり、更には、個々の商品別の個別カード形式とすることも勿論可能である。
前記商品陳列掛止具用カバー体１１の寸法設定例としては、全長６０〜９０ｃｍ、前記前片１２ｃと後片１２ｂとの間隔２１ｍｍ、後片１２ｂの垂下長２０ｍｍ、前記商札保持部１２ｄの上下幅３０ｍｍ、前記保持隙間部１６の上部の開寸法０．５ｍｍ等の例を挙ることができるが、これに限定されるものではなく、陳列用受部材３１の長さ、形状に応じて種々の寸法、形状を採用し得るものである。
【００２９】
また、前記後片１２ｂは下端側を前片１２ｃに接近するように屈曲した形状（図３に点線で示す）に形成すると陳列用受部材３１への嵌着性が良好となる。
【００３０】
更に、前記上片１２ａと後片１２ｂとの境界部及び上片１２ａと前片１２ｃとの境界部は、各々長さ方向に沿って丸みを付けた形状とすることがこの商品陳列掛止具用カバー体１１自体の取り扱い性の点で好ましい。
なお、図１６に示すように、商品陳列掛止具用カバー体１１のカバー体本体１５における後片１２ｂの高さに対して、前片１２ｃの高さ幅を僅かに高く（例えば３ｍｍ）形成し、これに伴って、前記各商品５１の名称、売値（価格）等を表示する表示体１７の高さ幅の上端が、カバー体本体１５の上片１２ａよりも僅かに表出するように形成した場合、当該表示体１７を差し替え等する際に、表示体１７の上端を指で簡単に摘んで表示体１７を取り出すことができ、表示体１７の差し替え等を簡易に行うことができる。
【００３１】
前記商品陳列掛止具１は、図５乃至図７に示すように、陳列用受部材３１への掛け止めフック片部２と、この掛け止めフック片部２に連設されるとともに、商品５１の一部を掛け止めて吊り下げる吊り下げフック片部３と、を有している。
【００３２】
前記吊り下げフック片部３を前記掛け止めフック片部２に対して、所定角度、例えば水平左４５度又は略左４５度捻った形態とし、各々商品５１を水平方向に４５度又は略４５度左旋回した状態で吊り下げる構成としている。
【００３３】
以下、前記商品陳列掛止具１について更に詳述する。
【００３４】
前記商品陳列掛止具１は、弾性を有する例えば直径２ｍｍ以内の針金材又は棒材を用いて全体形状を略Ｓ字状（又は略逆Ｓ字状）に形成するとともに、前記掛け止めフック片部２を前記陳列用受部材３１に掛け止め可能な角形の形状としている。
【００３５】
前記商品陳列掛止具１の素材としては、クロムメッキを施した鋼材や鉄材、アルミニウム材、ステンレス材等を採用することができ、特に限定するものではない。
【００３６】
前記商品陳列掛止具１における前記吊り下げフック片部３は、前記掛け止めフック片部２に対して、その弧状の連結部３ａを商品５１の表面視認を妨げない範囲で所定角度、例えば水平左４５度又は略左４５度捻った形態とし、すなわち、図２に示すように商品陳列掛止具１を真上から見て前記吊り下げフック片部３を前記掛け止めフック片部２に対して時計方向に左４５度又は略左４５度捻った形態とし、商品陳列掛止具１により吊り下げた前記商品５１が、図８に示すように、水平方向に４５度又は略４５度左旋回した状態で吊り下げられるように構成している。
【００３７】
なお、前記連結部３ａの捻り角度は、水平左４５度又は略左４５度とする他、商品５１の表面視認を妨げない範囲であれば、例えば水平左３０度乃至水平左６０度等の範囲の角度とすることもでき、限定するものではないが、顧客の視線は左から右へと動くことが多いことを考慮すると、本実施例のように水平左４５度又は略左４５度にすることが好ましいものである。
【００３８】
また、前記商品陳列掛止具１における連結部３ａの位置を、この商品陳列掛止具１の重心位置となるように設定している。
【００３９】
また、前記吊り下げフック片部３は、その内側を例えば直径１４ｍｍ位の円に外接するような円弧状を呈するように形成している。
【００４０】
商品陳列掛止具１における前記吊り下げフック片部３の商品嵌め入れ端部３ｂに、前記商品５１の掛け止め穴５２からの抜け止め抑止用の膨出部４を丸め込み（例えば直径６ｍｍ程度の円形状）又は潰しによって設けるとともに、前記掛け止めフック片部２の開口部を形成する掛け止め突出端部２ａに外方へ曲げた曲部５を設け、その内面側（陳列用受部材３１に対向する側）が弧状に曲がった構造としている。
【００４１】
本実施例１に係る商品陳列掛止具１は、図７に示すように、前記掛け止めフック片部２における図７において最上部側の内幅Ｗ１（例えば１７ｍｍ以内又は略１７ｍｍ以内）を陳列用受部材３１の厚さより隙間Ｓ１ができる程度に大きくして、前記掛け止めフック片部２の前記陳列用受部材３１に対する長さ方向のスライドを容易に構成している。
【００４２】
また、掛け止めフック片部２における曲部５を設けた掛け止め突出端部２ａ側は、最上部側に比べ陳列用受部材３１の外面により接近するように加工している。
【００４３】
前記掛け止めフック片部２における開口部側（連結部３ａ側）の前記陳列用受部材３１に対向する部分は、陳列用受部材３１への掛け止め時、隙間Ｓ２ができる形状として、掛け止めフック片部２を陳列用受部材３１へ滑り込み易くするように構成している。
【００４４】
更に、前記商品陳列掛止具１自体の陳列用受部材３１に対する掛脱時に、前記掛け止めフック片部２の曲部５と、前記吊り下げフック片部３の前記曲部５に対向する孤状の連結部３ａの部分とを、前記陳列用受部材３１の外面に各々弾性接触させる構成としている。
【００４５】
図８は、上述した構成からなる一個の商品陳列掛止具１を使用して、商品５１を陳列用受部材３１により吊り下げ状態で陳列する態様を示すものである。
【００４６】
このとき、既述したように、前記吊り下げフック片部３を前記掛け止めフック片部２に対して時計方向に左４５度又は略左４５度捻った形態としているので、商品陳列掛止具１により吊り下げた前記商品５１が水平方向に４５度又は略４５度左旋回した状態で吊り下げられることになり、これにより、商品５１の陳列時におけるその方向性の統一化を図ることができ、顧客の商品５１に対する視認性が向上し、販売促進に寄与することができる。
【００４７】
このような作用、効果は、同一種類の商品５１を多数陳列した場合、異種類の商品を組み合わせて多数陳列した場合を問わず発揮させることができる。
【００４８】
次に、本実施例１に係る商品陳列掛止具用カバー体１１の作用、効果を、図１０、図１１を参照して説明する。
【００４９】
既述した複数（例えば数十個等）の商品陳列掛止具１により各商品５１を吊り下げ、各商品陳列掛止具１を、図９に示すように、陳列用受部材３１に対して列設状態に掛け止めた状態とした後、本実施例１に係る商品陳列掛止具用カバー体１１を、図１０に示すように、前記商品陳列掛止具１の掛け止めフック片部２を覆うようにして陳列用受部材３１の上方から嵌め着け掛け止める。
【００５０】
このときの商品陳列掛止具用カバー体１１、各掛け止めフック片部２、陳列用受部材３１の配置状態の一部を図１１に断面として示す。
【００５１】
これにより、陳列用受部材３１の前方から見て、商品陳列掛止具用カバー体１１を構成する表示体１７により各商品陳列掛止具１の各掛け止めフック片部２が覆われ隠れた状態となり、各商品５１の整理、整頓とした陳列状態を顧客に見せることができる。
【００５２】
また、商品陳列掛止具用カバー体１１を構成する表示体１７により、各商品５１の名称や売値等の情報を的確に顧客に見せることができる。
【００５３】
すなわち、本実施例１に係る商品陳列掛止具用カバー体１１によれば、吊り下げた各商品５１の名称、売値等の表示機能を発揮するとともに、吊り下げた各商品５１の整理、整頓機能をも発揮させることができる。
【００５４】
（実施例２）
次に、図１２、図１３を参照して本考案の実施例２に係る商品陳列掛止具用カバー体１１Ａについて説明する。
【００５５】
本実施例２に係る商品陳列掛止具用カバー体１１Ａは、実施例１に係る商品陳列掛止具用カバー体１１と略同様な構成であり、同一要素については同一符号を付して示す。
【００５６】
本実施例２に係る商品陳列掛止具用カバー体１１Ａは、図１２に示すように、実施例１に係る商品陳列掛止具用カバー体１１と同様な構成とするとともに、カバー体本体１５における上片１２ａの前記陳列用受部材３１と対向する内面両隅に、この内面を前記陳列用受部材３１の上面と離隔させるスペーサ部材１８を設けたことが特徴であり、この他の構成は実施例１に係る商品陳列掛止具用カバー体１１と同様である。
【００５７】
前記スペーサ部材１８の厚さ（垂直方向の厚さ）は、例えば３〜５ｍｍ程度に設定している。
【００５８】
本実施例２に係る商品陳列掛止具用カバー体１１Ａの場合も、実施例１の場合と同様に、図１０に示す態様で使用される。
【００５９】
このときの商品陳列掛止具用カバー体１１、スペーサ部材１８、各掛け止めフック片部２、陳列用受部材３１の配置状態の一部を図１３に断面として示す。
【００６０】
これにより、陳列用受部材３１の前方から見て、商品陳列掛止具用カバー体１１Ａを構成する表示体１７により各商品陳列掛止具１の各掛け止めフック片部２が覆われ隠れた状態となり、各商品５１の整理、整頓とした陳列状態を顧客に見せることができる。
【００６１】
また、商品陳列掛止具用カバー体１１Ａを構成する表示体１７により、各商品５１の名称、売値等の情報を的確に顧客に見せることができる。
【００６２】
更に、本実施例２に係る商品陳列掛止具用カバー体１１Ａによれば、図１３に示すように、前記スペーサ部材１８によりカバー体本体１５における上片１２ａの前記陳列用受部材３１と対向する内面が、前記陳列用受部材３１の上面と離隔した（浮いた）状態となるので、個々の商品陳列掛止具１の掛け止めフック片部２を陳列用受部材３１に上面に対してスライドし易くなり、各商品５１の陳列位置の調整がし易くなる。
【００６３】
すなわち、本実施例２に係る商品陳列掛止具用カバー体１１Ａによれば、吊り下げた各商品５１の名称、売値等の表示機能を確実に発揮するとともに、吊り下げた各商品５１の整理、整頓機能もより効果的に発揮させることができる。
【００６４】
（実施例３）
次に、図１４、図１５を参照して本考案の実施例３に係る商品陳列掛止具用カバー体１１Ｂについて説明する。
【００６５】
本実施例３に係る商品陳列掛止具用カバー体１１Ｂは、実施例１に係る商品陳列掛止具用カバー体１１と略同様な構成であり、同一要素については同一符号を付して示す。
なお、本実施例３においては、商品陳列掛止具１の素材としては、磁石により吸着可能な例えばクロムメッキを施した鉄材、その他各種磁性材からなる針金材、線材を採用するものとする。
【００６６】
本実施例３に係る商品陳列掛止具用カバー体１１Ｂは、実施例１に係る商品陳列掛止具用カバー体１１と同様な構成とするとともに、図１４に示すように、カバー体本体１５における上片１２ａの前記陳列用受部材３１と対向する内面に、前記陳列用受部材３１に掛け止めた各掛け止めフック片部２に磁気吸着力を作用する板状の磁石体１９を添着したことが特徴であり、この他の構成は実施例１に係る商品陳列掛止具用カバー体１１と同様である。
【００６７】
前記磁石体１９の厚さ（垂直方向の厚さ）は、例えば３〜５ｍｍ程度に設定している。
本実施例３に係る商品陳列掛止具用カバー体１１Ｂの場合も、実施例１の場合と同様、図１０に示す態様で使用される。
【００６８】
このときの商品陳列掛止具用カバー体１１Ｂ、磁石１９、各掛け止めフック片部２、陳列用受部材３１の配置状態の一部を図１５に断面として示す。
【００６９】
本実施例３に係る商品陳列掛止具用カバー体１１Ｂによれば、既述した場合と同様、商品陳列掛止具用カバー体１１Ｂを構成する表示体１７により、各商品５１の名称、売値等の情報を的確に顧客に見せることができる。
【００７０】
また、陳列用受部材３１の前方から見て、商品陳列掛止具用カバー体１１Ｂを構成する表示体１７により各商品陳列掛止具１の各掛け止めフック片部２が覆われ隠れた状態となり、整然とした状態で各商品５１を顧客に見せることができるとともに、図１５に示すように、前記磁石体１９により前記陳列用受部材３１に掛け止めた各掛け止めフック片部２に磁気吸着力を作用して、各掛け止めフック片部２を磁気吸着力により定位置に固定した状態とすることができるので、一旦整列配置した各商品陳列掛止具１の状態を維持し易くなり、この点からも各商品５１を整理、整頓した状態で顧客に見せることができる。
【００７１】
すなわち、本実施例３に係る商品陳列掛止具用カバー体１１Ｂによれば、吊り下げた各商品５１の名称、売値等の表示機能を確実に発揮するとともに、吊り下げた各商品５１の整理、整頓機能も効果的に発揮させることができる。
【産業上の利用可能性】
【００７２】
本考案に係る商品陳列掛止具用カバー体は、例えば、多数の商品陳列掛止具を用いて歯ブラシ、歯磨き入り容器等の日常品、電池、メモリカードやマウス等のコンピュータ関連品、ネジ、ボルト、ナット等の機械部品、手袋、靴下等の小物衣類等、種々の商品を陳列するための陳列什器用として広範に適用可能である。
【符号の説明】
【００７３】
１    商品陳列掛止具
２    掛け止めフック片部
２ａ  掛け止め突出端部
３    吊り下げフック片部
３ａ  連結部
３ｂ  商品嵌め入れ端部
４    膨出部
５    曲部
１１    商品陳列掛止具用カバー体
１１Ａ  商品陳列掛止具用カバー体
１１Ｂ  商品陳列掛止具用カバー体
１２ａ  上片
１２ｂ  後片
１２ｃ  前片
１２ｄ  商札保持部
１３    長溝部
１４    直方体状空間
１５    カバー体本体
１６    保持隙間部
１７    表示体
１８    スペーサ部材
１９    磁石体
３１    陳列用受部材
５１    商品
５２    掛け止め穴
【図１】
0003174250.tif 000003
【図２】
0003174250.tif 000004
【図３】
0003174250.tif 000005
【図４】
0003174250.tif 000006
【図５】
0003174250.tif 000007
【図６】
0003174250.tif 000008
【図７】
0003174250.tif 000009
【図８】
0003174250.tif 000010
【図９】
0003174250.tif 000011
【図１０】
0003174250.tif 000012
【図１１】
0003174250.tif 000013
【図１２】
0003174250.tif 000014
【図１３】
0003174250.tif 000015
【図１４】
0003174250.tif 000016
【図１５】
0003174250.tif 000017
【図１６】
0003174250.tif 000018
【図１７】
0003174250.tif 000019
【図１８】
0003174250.tif 000020